(57)【要約】      （修正有）【課題】比較的重い物品を収容する場合にも持ちやすい手掛け穴を有する包装容器を形成できる包装容器用シートを提供する。【解決手段】包装容器用シートは、一対の側面パネル２に手掛け穴形成部１４が設けられている包装容器用シートであって、手掛け穴形成部１４が、側面パネル２の上縁１５と平行な第一折り曲げ容易線１６と、第一折り曲げ容易線１６の下方に第一折り曲げ容易線１６と平行に形成される先端切断容易線１７と、第一折り曲げ容易線１６の端部と先端切断容易線１７の端部とを接続する一対の側部切断容易線１８と、一対の側部切断容易線１８間を接続するよう第一折り曲げ容易線１６と平行に形成される第二折り曲げ容易線１９とを有し、側面パネル２の上縁１５と第一折り曲げ容易線１６との間隔Ａに対する第一折り曲げ容易線１６と先端切断容易線１７との間隔Ｂの比（Ｂ／Ａ）が１．２以上２．２以下であることを特徴とする。【選択図】図３
0003209724.tif 000002
【実用新案登録請求の範囲】
【請求項１】
１枚の段ボールシートから形成され、対向する少なくとも一対の側面パネルを有する包装容器に組み立て可能であり、一対の上記側面パネルに手掛け穴形成部が設けられている包装容器用シートであって、
上記手掛け穴形成部が、
上記側面パネルの上縁と平行な第一折り曲げ容易線と、
上記第一折り曲げ容易線の下方に上記第一折り曲げ容易線と平行に形成される先端切断容易線と、
上記第一折り曲げ容易線の端部と上記先端切断容易線の端部とを接続する一対の側部切断容易線と、
上記一対の側部切断容易線間を接続するよう上記第一折り曲げ容易線と平行に形成される第二折り曲げ容易線と
を有し、
上記側面パネルの上縁と上記第一折り曲げ容易線との間隔に対する上記第一折り曲げ容易線と上記先端切断容易線との間隔の比が１．２以上２．２以下であることを特徴とする包装容器用シート。
【請求項２】
上記第一折り曲げ容易線と上記第二折り曲げ容易線との間隔に対する上記先端切断容易線と上記第二折り曲げ容易線との間隔の比が１．０以上２．０以下である請求項１に記載の包装容器用シート。
【請求項３】
上記第一折り曲げ容易線と上記先端切断容易線との間隔が３５ｍｍ以上６０ｍｍ以下である請求項１又は請求項２に記載の包装容器用シート。
【請求項４】
上記第一折り曲げ容易線が罫線からなり、上記第二折り曲げ容易線が切断線を含む請求項１、請求項２又は請求項３に記載の包装容器用シート。
【請求項５】
上記側面パネルの上縁から延出し、組み立て状態で他対の側面パネルから延出する外フラップの内側に配置される一対の内フラップを備える請求項１から請求項４のいずれか１項に記載の包装容器用シート。
【考案の詳細な説明】
【技術分野】
【０００１】
本考案は包装容器用シートに関する。
【背景技術】
【０００２】
流通段階における製品を保護するために、１枚の段ボールシートから形成される多様な包装容器（段ボール箱）が用いられている。このような包装容器の中には、側面パネルに手の先（通常人差し指から小指までの指）を差し込むことができる手掛け穴を形成することによって、物品を収容した包装容器（包装体）を持ち上げやすくしたものも数多く見られる。
【０００３】
包装容器に収容される物品が例えば瓶入り飲料、ペットボトル入り飲料等の比較的重量が大きいものである場合、手掛け穴には強度が求められると共に、シートが手に食い込みにくい形状とされることが好ましい。
【０００４】
例えば特開２００２−２９３３２１号公報には、手掛け穴を形成する領域のシートを手掛け穴の上縁において包装容器の内側に折り込み、折り込み部分の先端を包装容器の蓋部の内面に当接させることで、指が当接する傾斜面を形成することで、包装容器を持ちやすくした包装箱が記載されている。
【０００５】
しかしながら、上記公報に記載の包装容器は、カップ麺等の比較的軽量な物品を収容するものであり、飲料のように比較的重量が大きい物品を収容する包装容器に適用すると、内側に折り込んだ面に大きな曲げが作用して、指が当接する面が容易に折れ曲がってしまうという不都合がある。
【先行技術文献】
【特許文献】
【０００６】
【特許文献１】特開２００２−２９３３２１号公報
【考案の概要】
【考案が解決しようとする課題】
【０００７】
上記不都合に鑑みて、本考案は、比較的重い物品を収容する場合にも持ちやすい手掛け穴を有する包装容器を形成できる包装容器用シートを提供することを課題とする。
【課題を解決するための手段】
【０００８】
上記課題を解決するためになされた考案は、１枚の段ボールシートから形成され、対向する少なくとも一対の側面パネルを有する包装容器に組み立て可能であり、一対の上記側面パネルに手掛け穴形成部が設けられている包装容器用シートであって、上記手掛け穴形成部が、上記側面パネルの上縁と平行な第一折り曲げ容易線と、上記第一折り曲げ容易線の下方に上記第一折り曲げ容易線と平行に形成される先端切断容易線と、上記第一折り曲げ容易線の端部と上記先端切断容易線の端部とを接続する一対の側部切断容易線と、上記一対の側部切断容易線間を接続するよう上記第一折り曲げ容易線と平行に形成される第二折り曲げ容易線とを有し、上記側面パネルの上縁と上記第一折り曲げ容易線との間隔に対する上記第一折り曲げ容易線と上記先端切断容易線との間隔の比が１．２以上２．２以下であることを特徴とする包装容器用シートである。
【０００９】
当該包装容器用シートは、一対の上記側面パネルに設けられている上記手掛け穴形成部が、上記第一折り曲げ容易線、上記先端切断容易線、上記一対の側部切断容易線及び上記第二折り曲げ容易線を有し、上記側面パネルの上縁と上記第一折り曲げ容易線との間隔に対する上記第一折り曲げ容易線と上記先端切断容易線との間隔の比が上記範囲内であることによって、手掛け穴を開口したときに、上記側面パネルの手掛け穴より上側の部分と、上記手掛け穴形成部の第一折り曲げ容易線と第二折り曲げ容易線との間の部分と、上記手掛け穴形成部の先端切断容易線と第二折り曲げ容易線との間の部分とが、三角筒状となるよう配置される。これにより、上記手掛け穴に手を入れて包装容器に物品を収容した包装体を持ち上げる場合、上記三角筒状部を持つことになり、手に食い込みにくく持ちやすい。また、上記三角筒状部は断面視における各辺の長さが比較的小さくなるので、段ボールシートが折れ曲がりにくく、手掛け穴の上部が比較的強度に優れる。
【００１０】
当該包装容器用シートにおいて、上記第一折り曲げ容易線と上記第二折り曲げ容易線との間隔に対する上記先端切断容易線と上記第二折り曲げ容易線との間隔の比が１．０以上２．０以下であることが好ましい。このように、上記第一折り曲げ容易線と上記第二折り曲げ容易線との間隔に対する上記先端切断容易線と上記第二折り曲げ容易線との間隔の比を上記範囲内とすることによって、上記手掛け穴形成部の第一折り曲げ容易線と第二折り曲げ容易線との間の部分と上記側面パネルの手掛け穴より上側の部分との角度が比較的大きくなり、手掛け穴の上縁の指への食い込みをより緩和することができる。
【００１１】
当該包装容器用シートにおいて、上記第一折り曲げ容易線と上記先端切断容易線との間隔が３５ｍｍ以上６０ｍｍ以下であることが好ましい。このように、上記第一折り曲げ容易線と上記先端切断容易線との間隔が上記範囲内であることによって、上記三角筒状部が手で持ちやすい大きさとなる。
【００１２】
当該包装容器用シートにおいて、上記第一折り曲げ容易線が罫線からなり、上記第二折り曲げ容易線が切断線を含むことが好ましい。このように、上記第一折り曲げ容易線が罫線からなり、上記第二折り曲げ容易線が切断線を含むことによって、上記第一折り曲げ容易線よりも上記第二折り曲げ容易線の方が折り曲げやすくなる。このため、手掛け穴形成部を包装容器内に押し込む際に、手掛け穴形成部は、先ず上記第二折り曲げ容易線で折り曲げられ、次に上記第一折り曲げ容易線で折り曲げられるようになるので、上記三角筒状部の形成がより確実となる。
【００１３】
当該包装容器用シートにおいて、上記側面パネルの上縁から延出し、組み立て状態で他対の側面パネルから延出する外フラップの内側に配置される一対の内フラップを備えることが好ましい。このように、上記側面パネルの上縁から延出し、組み立て状態で他対の側面パネルから延出する外フラップの内側に配置される一対の内フラップを備えることによって、上記手掛け穴形成部の先端が上記側面パネルと内フラップとの角に当接するので、上記三角筒状部の形状をより確実に保持することができる。
【考案の効果】
【００１４】
上述のように、本考案の包装容器用シートは、比較的重い物品を収容する場合にも持ちやすい手掛け穴を有する包装容器を形成することができる。
【図面の簡単な説明】
【００１５】
【図１】本考案の一実施形態の包装容器用シートを示す模式的平面図（展開図）である。
【図２】図１の包装容器用シートを組み立ててなる包装容器の模式的斜視図である。
【図３】図１の包装容器用シートの手掛け穴形成部の拡大図である。
【図４】図２の包装容器の手掛け穴近傍の模式的断面図である。
【考案を実施するための形態】
【００１６】
以下、適宜図面を参照しつつ、本考案の実施の形態を詳説する。
【００１７】
［包装容器用シート］
図１に、本考案の一実施形態に係る包装容器用シートを示す。当該包装容器用シートは、１枚の段ボールシートから形成され、図２に示すように箱形の包装容器に組み立てることができる。なお、図１において、太い実線は段ボールシートを切断して形成されるエッジを示し、細い実線は段ボールシートの裏面（組み立て状態で包装容器の内側に配置される側の面）に筋押しして形成される罫線を示す。
【００１８】
当該包装容器用シートを形成する段ボールシートとしては、１枚の中芯の両側を一対のライナーで挟み込んだものだけでなく、３枚のライナーの間にそれぞれ中芯が挟み込まれたいわゆるダブルフルートを使用してもよく、中芯の片側にのみライナーが貼着されたいわゆる片面段ボールを使用してもよい。
【００１９】
当該包装容器用シートは、それぞれ方形状に形成され、四角筒状に組み立てられるよう左右方向に順番に連接される第１長辺側面パネル１、第１短辺側面パネル２、第２長辺側面パネル３及び第２短辺側面パネル４と、第１長辺側面パネル１の第１短辺側面パネル２と反対側の側延から延設され、第２短辺側面パネル４に貼着されることで４つの側面パネルを無端ループ状に接続する継ぎしろ５とを備える。
【００２０】
なお、本明細書において、「左右方向」とは、当該包装容器用シートを組み立ててなる包装容器の想定される一般的な使用態様における水平方向に対応する方向であり、「上」及び「下」とは、想定される一般的な使用態様における上下を意味するが、当該包装容器用シートの製造時の向きや当該包装容器用シートを組み立ててなる包装容器の使用時の向き制限することを企図しない。
【００２１】
また、当該包装容器用シートは、第１長辺側面パネル１及び第２長辺側面パネル３の上縁から延出する一対の蓋外フラップ（第１蓋外フラップ６及び第２蓋外フラップ７）と、第１短辺側面パネル２及び第２短辺側面パネル４の上縁から延出する一対の蓋内フラップ（第１蓋内フラップ８及び第２蓋内フラップ９）とを有する。
【００２２】
さらに、当該包装容器用シートは、第１長辺側面パネル１及び第２長辺側面パネル３の下縁から延出する一対の底外フラップ（第１底外フラップ１０及び第２底外フラップ１１）と、第１短辺側面パネル２及び第２短辺側面パネル４の下縁から延出する一対の底内フラップ（第１底内フラップ１２及び第２底内フラップ１３）とを有する。
【００２３】
当該包装容器用シートは、通常、第１長辺側面パネル１及び第１短辺側面パネル２間並びに第２長辺側面パネル３及び第２短辺側面パネル４間で折り曲げて、第１長辺側面パネル１を第１短辺側面パネル２の裏面に、第２短辺側面パネル４を第２長辺側面パネル３の裏面にそれぞれ密着させ、第２短辺側面パネル４の裏面側に継ぎしろ５を貼着した折り畳み状態でユーザーに提供される。第２短辺側面パネル４への継ぎしろ５の貼着は、例えば接着剤、ステープラー等を用いて行うことができる。
【００２４】
当該包装容器用シートを組み立ててなる包装容器において、４つの側面パネル１，２，３，４から形成される四角筒状部の上端は、一対の蓋内フラップ８，９を内側に折り曲げ、この一対の蓋内フラップ８，９の外面に一対の蓋外フラップ６，７を折り重ねて、一対の蓋外フラップ６，７の先端縁同士を突合わせることで封止される。同様に、４つの側面パネル１，２，３，４から形成される四角筒状部の下端は、一対の底内フラップ１２，１３を内側に折り曲げ、この一対の底内フラップ１２，１３の外面に一対の底外フラップ１０，１１を折り重ねて、一対の底外フラップ１０，１１の先端縁同士を突合わせることで封止される。
【００２５】
当該包装容器用シートを組み立ててなる包装容器は、一対の蓋外フラップ６，７の先端縁の合わせ目及び一対の底外フラップ１０，１１の先端縁の合わせ目に沿って粘着テープを貼着することや、一対の蓋内フラップ８，９及び一対の蓋外フラップ６，７間並びに一対の底内フラップ１２，１３及び一対の底外フラップ１０，１１間を接着剤で貼り合わせることによって封函状態が保持される。
【００２６】
当該包装容器用シートにおいて、一対の短辺側面パネル２，４は、上縁近傍且つ左右方向中央に、以下に説明する手掛け穴形成部１４が設けられている。
【００２７】
＜手掛け穴形成部＞
図２に、第１短辺側面パネル２の手掛け穴形成部１４を示し、以下の説明は、第１短辺側面パネル２の手掛け穴形成部１４について説明するが、第２短辺側面パネル４の手掛け穴形成部１４も同様である。
【００２８】
図３に詳しく示すように、手掛け穴形成部１４は、第１短辺側面パネル２の上縁１５と平行な第一折り曲げ容易線１６と、第一折り曲げ容易線１６の下方に第一折り曲げ容易線１６と平行に形成される先端切断容易線１７と、第一折り曲げ容易線１６の端部と先端切断容易線１７の端部とを接続する一対の側部切断容易線１８と、一対の側部切断容易線１８間を接続するよう第一折り曲げ容易線１６と平行に形成される第二折り曲げ容易線１９とを有する。
【００２９】
図示するように、第１短辺側面パネル２の上縁１５は、段ボールシートを筋押しして形成される罫線によって形成される。また、第一折り曲げ容易線１６も罫線によって形成される。一方、第二折り曲げ容易線１９は、ミシン目状に断続的に形成される複数の切断線と、この切断線の間を接続する罫線とを含むリード罫線によって形成される。このため、第二折り曲げ容易線１９は、第一折り曲げ容易線１６と比べてより小さい力で折り曲げることができる。
【００３０】
先端切断容易線１７及び一対の側部切断容易線１８は、ダンボールシートが切断されていない部分を有することが好ましい。これにより、当該包装容器用シートを組み立ててなる包装容器に商品を収容した包装体の手掛け穴形成部１４が意図せずに容器内に押し込まれて開口を形成することによる異物混入の危険性の増大を防止できる。
【００３１】
一対の側部切断容易線１８は、左右方向外側に膨らむよう屈曲乃至湾曲していることが好ましい。また、側部切断容易線１８の左右方向の膨らみの頂点は、当該包装容器用シートを組み立ててなる包装容器の不必要な強度低下を防止するために、第二折り曲げ容易線１９が接続される位置であることが好ましい。図示する例では、一対の側部切断容易線１８は、第二折り曲げ容易線１９との交点で屈曲した「く」の字状である。
【００３２】
当該包装容器用シートを組み立ててなる包装容器は、先ず、手掛け穴形成部１４の先端切断容易線１７と第二折り曲げ容易線１９との間の領域（以下先端部２０という）を容器内側に押し込み、次に、手掛け穴形成部１４の第一折り曲げ容易線１６と第二折り曲げ容易線１９との間の領域（以下基端部２１という）を容器内側に押し込むことで、図４に示すように、手掛け穴形成部１４の先端縁（先端切断容易線１７における切断エッジ）が第１短辺側面パネル２の上縁、つまり第１短辺側面パネル２と第１蓋内フラップ８との角部に当接する。これにより、第１短辺側面パネル２の手掛け穴形成部１４が存在していた領域が開口した手掛け穴２２が形成されると共に、第１短辺側面パネル２の第一折り曲げ容易線１６よりも上側の部分（以下側面上部２３という）、基端部２１及び先端部２０が、三角筒状部２４を形成する。
【００３３】
これにより、当該包装容器用シートを組み立ててなる包装容器に物品を収容した包装体は、手掛け穴２２に手を差し込んで三角筒状部２４を握るようにして持ち上げることができる。手で三角筒状部２４を把持することで、包装体の重さを手の比較的大きい面積で支持することができるため、手掛け穴２２の上縁が手に食い込みにくく、飲料等の比較的重い物品を収容する包装体であっても、比較的容易に持ち上げることができる。また、三角筒状部２４の太さは、手で把持される程度とされるため、先端部２０、基端部２１及び側面上部２３の周方向の長さ（当該包装容器用シートにおける上下方向の長さ）は十分に小さいため、先端部２０、基端部２１及び側面上部２３が折れ曲がりにくく、三角筒状部２４が潰れにくい。
【００３４】
三角筒状部２４の強度を向上するために、当該包装容器用シートにおいて、段ボールシートは、中芯の稜線が上下方向に延びるよう配向されることが好ましい。
【００３５】
第一折り曲げ容易線１６の長さの下限としては、５０ｍｍが好ましく、５５ｍｍがより好ましい。一方、第一折り曲げ容易線１６の長さの上限としては、８０ｍｍが好ましく、６５ｍｍがより好ましい。第一折り曲げ容易線１６の長さが上記下限に満たない場合、手掛け穴２２に手を差し込みにくくなるおそれがある。逆に、第一折り曲げ容易線１６の長さが上記上限を超える場合、当該包装容器用シートを組み立ててなる包装容器の強度が不必要に低下するおそれがある。
【００３６】
先端切断容易線１７は、直接手を掛ける部分ではないので、第一折り曲げ容易線１６よりも短くすることができる。先端切断容易線１７の長さの下限としては、４０ｍｍが好ましく、４５ｍｍがより好ましい。一方、先端切断容易線１７の長さの上限としては、７５ｍｍが好ましく、６０ｍｍがより好ましい。先端切断容易線１７の長さが上記下限に満たない場合、手掛け穴２２に手を差し込みにくくなるおそれがある。逆に、先端切断容易線１７の長さが上記上限を超える場合、当該包装容器用シートを組み立ててなる包装容器の強度が不必要に低下するおそれがある。
【００３７】
第１短辺側面パネル２の上縁１５と第一折り曲げ容易線１６との間隔Ａに対する第一折り曲げ容易線１６と先端切断容易線１７との間隔Ｂの比（Ｂ／Ａ）の下限としては、１．２であり、１．４が好ましく、１．５がより好ましい。一方、上記間隔Ａに対する上記間隔Ｂの比の上限としては、２．２であり、２．０が好ましく、１．８がより好ましい。上記間隔Ａに対する上記間隔Ｂの比が上記下限に満たない場合、手掛け穴２２の上縁、つまり三角筒状部２４の第一折り曲げ容易線１６によって形成される角の角度が非常に小さくなることで手に食い込みやすくなるおそれがある。逆に、上記間隔Ａに対する上記間隔Ｂの比が上記上限を超える場合、第一折り曲げ容易線１６と第二折り曲げ容易線１９との間隔が大きくなり、基端部２１が折れ曲がって三角筒状体２４の形状を保持できないおそれがある。
【００３８】
第一折り曲げ容易線１６と先端切断容易線１７との間隔Ｂの下限としては、３５ｍｍが好ましく、４０ｍｍがより好ましい。一方、第一折り曲げ容易線１６と先端切断容易線１７との間隔Ｂの上限としては、６０ｍｍが好ましく、５５ｍｍがより好ましい。第一折り曲げ容易線１６と先端切断容易線１７との間隔Ｂが上記下限に満たない場合、形成される三角筒状体２４の断面寸法が小さくなり、手への食い込みを十分に軽減できないおそれがある。逆に、第一折り曲げ容易線１６と先端切断容易線１７との間隔Ｂが上記上限を超える場合、手掛け穴２２が不必要に大きくなり、当該包装容器用シートを組み立ててなる包装容器の強度が低下するおそれや、手掛け穴２２から異物が混入しやすくなるおそれがある。
【００３９】
第一折り曲げ容易線１６と第二折り曲げ容易線１９との間隔Ｃに対する先端切断容易線１７と第二折り曲げ容易線１９との間隔Ｄの比（Ｄ／Ｃ）の下限としては、１．０が好ましく、１．３がより好ましい。一方、上記間隔Ｃに対する上記間隔Ｄの比の上限としては、２．０が好ましく、１．７がより好ましい。上記間隔Ｃに対する上記間隔Ｄの比が上記下限に満たない場合、三角筒状部２４の第一折り曲げ容易線１６によって形成される角の角度が非常に小さくなることで手に食い込みやすくなるおそれがある。逆に、上記間隔Ｃに対する上記間隔Ｄの比が上記上限を超える場合、三角筒状部２４の第一折り曲げ容易線１６によって形成される角が鈍角となって十分な大きさの手掛け穴２２を形成できないおそれがある。
【００４０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４１】
当該包装容器用シートは、上述の実施形態のようないわゆるＡ式（ミカン箱タイプ）の包装容器を形成するものに限られず、例えばワンタッチタイプの底部を形成するもの、アメリカンロックタイプの底部又は蓋部を形成するもの等であってもよい。さらに、当該包装容器用シートを組み立ててなる包装容器は、箱型に限られず、少なくとも一対の側面パネルを有する形状のものであればよい。例として、当該包装容器用シートは、八角形柱状の包装容器や、手掛け穴が形成されない側面パネルが傾斜した側面視台形状の包装容器に組み立てられるものであってもよい。
【００４２】
当該包装容器用シートは、一対の側面パネルを有し、上下方向の軸を有する筒状体の上下を封止する包装容器に限られず、例えば横方向の軸を有する筒状体の両端を封止するラップアラウンドタイプの包装容器等であってもよい。ラップアラウンドタイプの包装容器の場合、筒状体の一部をなす側面パネルに手掛け穴形成部を設けてもよく、筒状体の端部を封止するフラップに手掛け穴形成部を設けてもよい。
【００４３】
当該包装容器用シートにおいて、第一折り曲げ容易線は、段ボールシートに筋押しした罫線以外の折り曲げを容易にする構成であってもよく、例えばミシン目状の切断線、リード罫線等によって形成されてもよい。また、第二折り曲げ容易線は、リード罫線に限られず、例えばミシン目状の切断線のみ、罫線のみ等によって形成されてもよい。
【００４４】
当該包装容器用シートにおいて、第二折り曲げ容易線が第一折り曲げ容易線よりも容易に折り曲げられることが好ましいが、先端切断容易線及び側部切断容易線の切断率に変化をつけることによって第二折り曲げ容易線が第一折り曲げ容易線に先んじて折り曲げられるようにしてもよい。
【００４５】
当該包装容器用シートは、手掛け穴形成部が設けられる側面パネルの上縁にフラップが延設されていることが手掛け穴形成部の先端縁を確実に係止できる点で好ましいが、手掛け穴形成部が設けられる側面パネルの上縁にフラップが設けられていなくてもよい。例として、組み立て状態で手掛け穴形成部が設けられる側面パネルの上端部の内側に蓋板の先縁から延出する差し込み片が配置され、この蓋板と差し込み片との角に手掛け穴形成部の先端縁を係止して三角筒状部を形成してもよい。
【産業上の利用可能性】
【００４６】
当該包装容器用シートは、特に飲料等、比較的重量が大きい物品を収容する包装容器に特に好適に利用することができる。
【符号の説明】
【００４７】
１  第１長辺側面パネル
２  第１短辺側面パネル
３  第２長辺側面パネル
４  第２短辺側面パネル
５  継ぎしろ
６  第１蓋外フラップ
７  第２蓋外フラップ
８  第１蓋内フラップ
９  第２蓋内フラップ
１０  第１底外フラップ
１１  第２底外フラップ
１２  第１底内フラップ
１３  第２底内フラップ
１４  手掛け穴形成部
１５  側面パネルの上縁
１６  第一折り曲げ容易線
１７  先端切断容易線
１８  側部切断容易線
１９  第二折り曲げ容易線
２０  先端部
２１  基端部
２２  手掛け穴
２３  側面上部
２４  三角筒状部
Ａ  側面パネルの上縁と第一折り曲げ容易線の間隔
Ｂ  第一折り曲げ容易線と先端切断容易線との間隔
Ｃ  第一折り曲げ容易線と第二折り曲げ容易線との間隔
Ｄ  先端切断容易線と第二折り曲げ容易線との間隔
【図１】
0003209724.tif 000003
【図２】
0003209724.tif 000004
【図３】
0003209724.tif 000005
【図４】
0003209724.tif 000006